(57)【特許請求の範囲】
【請求項１】
上層部と少なくとも一層からなる下層部の組合せで構成されている植生用ポーラスコンクリートにおいて、上層部のポーラスコンクリートは垂直方向に複数個の貫通孔を有し、下層部のポーラスコンクリートは表面に縦又は横のいずれかに少なくとも１個のスリットを有し、更に上層部の下面及び下層部の上面にそれぞれ対応して嵌合しうるアールを有していることを特徴とする植生用ポーラスコンクリート。
【請求項２】
上層部及び下層部の周囲側面に凸部又は凹部を有し、これらは対接触面で嵌合関係にあることを特徴とする請求項１に記載の植生用ポーラスコンクリート。
【請求項３】
上記の凸部があり足であり、また凹部が、あり溝であることを特徴とする請求項２に記載の植生用ポーラスコンクリート。
【請求項４】
上層部の貫通孔と下層部のスリットとの位置が対応関係にあることを特徴とする請求項１乃至請求項３のいずれかに記載の植生用ポーラスコンクリート。
【発明の詳細な説明】
【０００１】
【発明の属する技術分野】
本発明は、植生用ポーラスコンクリートに関し、更には本発明は、軽量で、作業効率に優れ、植生に適し、上層部の交換が容易であり、ブロック同士の接合が容易であり、更には水平方向の取り外しができないように構成された植生用ポーラスコンクリートに関するものである。
【０００２】
【従来の技術】
従来、ポーラスコンクリートは、護岸工事や道路の法面に施設される場合が多く、特に道路の法面等に設けられたポーラスコンクリート基盤は、自然に又は人工的に植栽し生えていることが防災上好ましいばかりでなく環境上も好ましく、そのためにポーラスコンクリートに積極的に植生したものが知られている。また最近では、建築物の壁面等に植物を生育して緑化することも考えられている。このような植生用ポーラスコンクリートとして、最近、公開された特開平１０−２８０３６２号公報には、１個又は２個以上の貫通孔を鉛直方向に設けた普通コンクリートブロックを下層部とし、この上にポーラスコンクリートを施設して上層部を構成すると共に、このポーラスコンクリートは、下層部に設けられた貫通孔にも充填して一体化したコンクリート製緑化護岸用ブロックが開示されている。このブロックの上層部のポーラスコンクリートには、連続空隙を有しており、この空隙に土を充填する。更にブロックの上層部の外周にブロック同士の連結用切欠部を有し、この切欠部に露出している下層部の普通コンクリートブロック同士をプレートを介してボルト締めされる。このコンクリート製緑化護岸用ブロックは、上層部のポーラスコンクリート部で護岸表面全体を緑化して自然環境に近づけつつ、下層部の普通コンクリートによって強固な護岸を形成しうると共に、貫通孔を通じてポーラスコンクリート部の培地材の水分環境を植物に適度な環境な状態に保つことができるものである。
【０００３】
【発明が解決しようとする課題】
しかしながら、上記に開示されたコンクリート製緑化護岸用ブロックは、下層部が普通コンクリートブロックから構成されているため、重量が重く、持ち運びに多大な労力を要し、またポーラスコンクリート部にある空隙部に土を充填しなければならないため、十分な土を充填することが困難であり、したがって、施工に多大な労力を要するばかりか良好な植生を得ることができないという問題がある。またコンクリート製緑化護岸用ブロックの設置時に、ブロック同士をボルトで止めるためボルト穴の形成及びボルトとプレート等の多くの資材を使用することとなり、作業効率が悪いという問題がある。
【０００４】
そこで、本発明者等は、上記の問題点について種々検討し、容易に施工でき、植生に優れ、かつ軽量で作業効率の良好な緑化用ポーラスコンクリート製品を得るべく、更に検討したところ、上層部及び下層部のいずれもポーラスコンクリートで形成し、かつ軽量骨材を使用することによりよりいっそう軽量化が図られると共に、両者を組み合わせて構成し、上層部に貫通孔を設けて土の充填を容易にし、更に下層部には、スリットを設けることにより、このスリットへ上層からの根が侵入することにより植生を良好なものにできることを見出し、ここに本発明をなすに至った。したがって、本発明が解決しようとする第１の課題は、軽量であるため一人でも持ち運びが容易であり、したがって、作業効率に優れると共に、植生に適し、かつ上層部の交換が容易である植生用ポーラスコンクリートを提供することにある。また本発明が解決しようとする第２の課題は、上層部と下層部のブロック同士の接合が容易である植生用ポーラスコンクリートを提供することにある。更に本発明が解決しようとする第３の課題は、ブロック同士の接合が容易であると共に、水平方向の取り外しができない植生用ポーラスコンクリートを提供することにある。
【０００５】
【課題を解決するための手段】
上記の各課題は、以下の各発明によって達成される。
【０００６】
〔請求項１〕上層部と少なくとも一層からなる下層部の組合せで構成されている植生用ポーラスコンクリートにおいて、上層部のポーラスコンクリートは垂直方向に複数個の貫通孔を有し、下層部のポーラスコンクリートは表面に縦又は横のいずれかに少なくとも１個のスリットを有し、更に上層部の下面及び下層部の上面にそれぞれ対応して嵌合しうるアールを有していることを特徴とする植生用ポーラスコンクリート。
〔請求項２〕上層部及び下層部の周囲側面に凸部又は凹部を有し、これらは対接触面で嵌合関係にあることを特徴とする請求項１に記載の植生用ポーラスコンクリート。
〔請求項３〕上記の凸部があり足であり、また凹部が、あり溝であることを特徴とする請求項２に記載の植生用ポーラスコンクリート。
〔請求項４〕上層部の貫通孔と下層部のスリットとの位置が対応関係にあることを特徴とする請求項１乃至請求項３のいずれかに記載の植生用ポーラスコンクリート。
【０００７】
本発明の請求項１に記載の植生用ポーラスコンクリートは、上層部と少なくとも一層からなる下層部の組合せで構成されている植生用ポーラスコンクリートにおいて、上層部のポーラスコンクリートは垂直方向に複数個の貫通孔を有し、下層部のポーラスコンクリートは表面に縦又は横のいずれかに少なくとも１個のスリットを有し、更に上層部の下面及び下層部の上面にそれぞれ対応して嵌合しうるアールを有していることを特徴とするもので、これにより軽量であるため一人でも容易に持ち運びができるので、作業効率に優れると共に、植生に適し、かつ上層部の交換が容易であるという優れた効果を奏するものである。また下層部を複数用いることによって施工個所が植生に優れるばかりでなく十分強固に保持することができる。
【０００８】
本発明の請求項２に記載の植生用ポーラスコンクリートは、上層部及び下層部の周囲側面に凸部又は凹部を有し、これらは対接触面で嵌合関係にあることにより、ブロック同士の接合が容易である。本発明の請求項３に記載の植生用ポーラスコンクリートは、この凸部があり足であり、また凹部が、あり溝であることにより、ブロック同士の接合が容易であると共に、水平方向の取り外しができないので、施工後、十分な固定ができる。更に、本発明の請求項４に記載の植生用ポーラスコンクリートは、上層部の貫通孔と下層部のスリットとの位置が対応関係にあることにより、貫通孔への植栽により根が溝へ伸びることができ良好な植生が得られる。
【０００９】
【発明の実施の形態】
以下に、本発明を実施の形態のいくつかを図面と共に説明するが、本発明は、これらに限定されるものではない。
【００１０】
図１は、本発明の植生用ポーラスコンクリートを示す斜視図である。図２は、その周囲側面に凹凸を有するブロックを示す平面図である。図３は、周囲側面の形状を有する別の例を示す平面図である。図４は、貫通孔とスリットとが重なる位置を示す平面図である。図５は、アールで接合した上・下層部ブロックを示す斜視図である。図１において、図１のａは、ポーラスコンクリートからなる上層部１ａであり、水分、土、肥料、根等の侵入には空隙率が３０％〜６０％のものが好ましいが、更に好ましくは４０％〜４５％が好ましい。このポーラスコンクリートは、垂直方向に複数個の貫通孔２が設けられている。この貫通孔２及びポーラスコンクリート１ａの空隙には、土を充填し植栽を生育することで、植栽の生育に必要な土を十分与えることができ、かつ容易に土を充填することができる。また土の量が多い分保水性やブロック下面の保温性・断熱性を向上させることができる。上記の貫通孔２の数は大きさにもよるが、５０ｃｍ×５０ｃｍの面積の場合には、１〜９０個が好ましい。更に好ましくは４〜８１個が好ましい。特に４〜８１個の範囲で優れた植生効果を奏するものである。貫通孔２の直径は、任意の長さでよいが、土の充填の容易性及び植生の観点から考慮すると、１〜１０ｃｍであり、好ましくは２〜８ｃｍである。
【００１１】
また下層部１ｂは、同様にポーラスコンクリートで形成されるが、このポーラスコンクリートは、強度等の関係から空隙率が２０％〜４０％のものが好ましく用いられるが、更に好ましくは２５％〜３５％が好ましい。下層部１ｂのポーラスコンクリートには、スリット３が縦横に設けられている。またスリット３は、他の例では、縦又は横のいずれかでもよい。スリット３は、上層部の貫通孔２と重なる位置に設けられるのが好ましく、スリット３が縦横に設けられている場合には、その交点が貫通孔２と重なる位置に設けられるのが好ましく、またその貫通孔２の数と等しい交点を有するスリット３を形成する。また縦又は横のスリット単独の場合には、スリット上に貫通孔２が位置するように設けられる。このように設けられたスリット３は、上層部１ａから伸びてきた根の侵入を受入れ、植栽の生育をよりいっそう良好なものとする。
【００１２】
上層部１ａと下層部１ｂとが組合せ関係にあるので、分割して人力で持ち運びが容易であり、このため上層部１ａ又は下層部１ｂのそれぞれのポーラスコンクリートのブロックの重量は、１〜５０ｋｇにするのが好ましい。また上層部１ａと下層部１ｂとの接合は、図５に斜視図で示されている如く、上層部１ａの下面及び下層部１ｂの上面にそれぞれ対応して嵌合しうるアール７を有しているので、十分な嵌合による接合が可能である。更に図１のａに示される上層部１ａ又は図１のｂに示される下層部１ｂの少なくとも一方のブロックの周囲側面に、図２に示される如く、凹凸が設けられている。この凹凸としては、図２のａに示される如く、あり溝５と図２のｂに示される如く、あり足４で構成されることが好ましい。これにより施工時にこれらを噛み合わせることにより容易にブロックを設置することができ、またあり足４とあり溝５の噛み合わせで構成されているから、左右方向の力では取り外すことができない。したがって、施工の安定性にも優れている。しかしながら、これらの如く側面に傾斜を設けないそれぞれの凹凸形状でも用いることができることはいうまでもない。
【００１３】
また図３には、本発明のブロックの別の実施の形態が示されている。図３に示されるように、このブロック６では、周囲形状をジグザグの凹凸形状７とすることにより、全方向に組み合わせることができる。また周囲形状をジグザグの凹凸形状７とすることにより、施工が簡単で、しかも安定して法面等を構築することができる。
【００１４】
図４は、上層部１ａと下層部１ｂの両ブロックを重ねたところを示しており、下層部１ｂには、点線で示されるようにスリット３を有している。またこの上に重ねた上層部１ａには貫通孔２を有しており、これらは共に縦横のスリットの交点の位置で重ねられている。これは最も好ましい実施の形態であり、これにより貫通孔２から伸びた根がスリットに容易に侵入して良好な植生が得られる。この他、これらは縦横のいずれかのスリット３上に貫通孔２が重なっていても本発明を構成するものであることは明らかである。
【００１５】
図５は、アールで接合した上・下層部ブロックを示す斜視図である。このアール８は、円弧状でも又は波形でもよく、上層部１ａと下層部１ｂとを組み合わせたとき、簡単にずれてしまわなければどのような形状であってもよい。このように上層部１ａと下層部１ｂの対応面でアールで重ねることにより両者を接合することができる。
【００１６】
【実施例】
以下に、本発明の実施例を示すが、これは本発明の一例であって、これに限定されるものではない。
【００１７】
〔実施例１〕図６の平面図に示されるように、上層部のコンクリートブロック１ａは、縦４０ｃｍ、横４０ｃｍ、厚さ１２ｃｍからなり、空隙率が４０％であり、また下層部１ｂは、縦４０ｃｍ、横４０ｃｍ、厚さ１２ｃｍからなり、空隙率が３５％である。これらのブロックの重量は、上層部のコンクリートブロック１ａは、２６．５ｋｇであり、下層部のそれは２８．７ｋｇであった。供試体として、上層部のコンクリートブロック１ａには、孔２を設けないもの、孔２を１個設けあたもの、孔２を４個設けたものを用い、下層部１ｂには、スリットを設けないもの、幅０．５ｍｍ、深さ３ｃｍのスリット３を１個設けたもの、２個のスリットを設けたものを用い、上層部１ａと下層部１ｂとを重ねる。この際重ねる組合せは、図６に示す通りである。
【００１８】
このうち、（２）及び（３）が本発明であり、他の（１）、（４）、（５）及び（６）が比較である。これらの組合せを用いて植生試験及び保温性試験を行った。得られた結果を表１に示す。表１において、植被率は、５は８０％以上を表し、４は、６０〜８０未満、３は、４０可６０％未満、２は、２０〜４０％未満、１は、２０％未満をそれぞれ表わす。
【００１９】
【表１】
0004183221.tif 000002
【００２０】
表１から明らかなように、孔及びスリットを多く設けるほど充填土の量が増し、それに伴い保水性が増す。その結果種子及び苗の茎径や生育高さ等の生育状況が良好となることがわかる。また孔及びスリットを多く設けるほど充填する土の量が多くなるから、ポーラスコンクリート背面の温度変化は小さく、断熱・保温効果が向上することがわかる。また重量からみて十分一人で持ち運ぶことができる。
【００２１】
【発明の効果】
本発明の植生用ポーラスコンクリートは、上層部と下層部の組合せからなる植生用ポーラスコンクリートにおいて、上層部のポーラスコンクリートは垂直方向に複数個の貫通孔を有し、下層部のポーラスコンクリートは表面に縦又は横のいずれかに少なくとも１個のスリットを有し、更に上層部の下面及び下層部の上面にそれぞれ対応して嵌合しうるアールを有していることにより、軽量となるので、一人でも容易に持ち運びが可能となり、したがって、作業効率に優れると共に、植生に適し、かつ上層部の交換が容易であるという優れた効果を奏するものである。
【００２２】
また、本発明の植生用ポーラスコンクリートは、上層部及び下層部の周囲側面に凸部又は凹部を有し、これらは対接触面で嵌合関係にあることにより、ブロック同士の接合が容易であり、この凸部があり足であり、また凹部が、あり溝であることにより、ブロック同士の接合が容易であると共に、水平方向の取り外しができないので、施工後、十分な固定ができる。更に、本発明の植生用ポーラスコンクリートは、上層部の貫通孔と下層部のスリットとの位置が対応関係にあることにより、貫通孔への植栽により根が溝へ伸びることができ良好な植生が得られる。
【図面の簡単な説明】
【図１】本発明の植生用ポーラスコンクリートを示す斜視図である。
【図２】本発明において、その周囲側面に凹凸を有するブロックを示す平面図である。
【図３】本発明において、周囲側面の形状の別の例を示す平面図である。
【図４】本発明において、貫通孔とスリットとが重なる位置を示す平面図である。
【図５】本発明において、アールで接合した上・下層部ブロックを示す斜視図である。
【図６】本発明及び比較のコンクリートブロックの平面図である。
【符号の説明】
１  植生用ポーラスコンクリート
１ａ  上層部のポーラスコンクリート
１ｂ  下層部のポーラスコンクリート
２  貫通孔
３  スリット
４  あり足
５  あり溝
６  ブロック
７  ブロック周囲のジグザグ
８  アール
９  上層部の切欠部
【図１】
0004183221.tif 000003
【図２】
0004183221.tif 000004
【図３】
0004183221.tif 000005
【図４】
0004183221.tif 000006
【図５】
0004183221.tif 000007
【図６】
0004183221.tif 000008